(57)【特許請求の範囲】
【請求項１】
交流を整流する整流回路（４）と、この整流を平滑して直流とする平滑コンデンサ（５）と、この直流をスイッチングするスイッチング回路（７）とを備えたインバータ装置において、上記直流の高電位側（８）と低電位側（９）との間にＣＲＤスナバ回路（６）を設け、このＣＲＤスナバ回路（６）の抵抗（１３）を放電抵抗として成り、さらに上記ＣＲＤスナバ回路（６）は、上記直流の高電位側（８）と低電位側（９）との間に、順方向に向けたダイオード（１１）とコンデンサ（１２）とを高電位側から順に直列接続するとともに、上記コンデンサ（１２）と並列に抵抗（１３）を接続して成ることを特徴とするインバータ装置。
【発明の詳細な説明】
【０００１】
【発明の属する技術分野】
この発明は、インバータ装置に関するものである。
【０００２】
【従来の技術】
図２は、従来のインバータ装置を示す回路図である。インバータ装置４１は、ダイオードをブリッジ接続して成る整流回路４４と、平滑コンデンサ４５と、放電抵抗４６と、スイッチングトランジスタを用いて構成されたスイッチング回路４７と、このスイッチング回路４７の入力側に接続されたサージ吸収コンデンサ４８とを備えて構成されている。そして上記整流回路４４の入力側に交流電源４２が接続されるとともに、上記スイッチング回路４７の出力側に、例えば空気調和機の圧縮機等を駆動するモータ４３が接続される。
【０００３】
上記インバータ装置４１では、まず整流回路４４で交流電源４２から付与された交流が整流され、この整流が平滑コンデンサ４５で直流に変換される。そしてこの直流がスイッチング回路４７でスイッチングされ、モータ４３を回転数可変に駆動するＰＷＭ信号が形成される。このスイッチング動作の際に発生するサージが、上記サージ吸収コンデンサ４８で吸収除去されるようになっている。
【０００４】
【発明が解決しようとする課題】
上記従来のインバータ装置４１では単一のコンデンサ４８によってサージを吸収しているが、より確実にサージを吸収する回路として、ＣＲＤスナバ回路が提案されている。しかしながらＣＲＤスナバ回路は、コンデンサ、抵抗、及びダイオードの複数部品から成るものであるため、単にサージ吸収コンデンサ４８をＣＲＤスナバ回路に替えただけでは、部品点数が増大してこれがコストアップの一因になるという問題がある。
【０００５】
また上記インバータ装置４１においては、平滑コンデンサ４５で整流のリップルが除去され、サージ吸収コンデンサ４８でサージが除去される。これらリップル及びサージは、ともに直流に重畳された交流成分であるが、リップルの周波数成分が比較的に低いものであるのに対し、サージは鋭い波形を有し高い周波数成分を含んでいる。そのためインバータ装置にはリップルを除去する回路とサージを吸収する回路との双方が必要であり、上記のコストアップを回避するために一方で他方を兼ねるような構成を採用することは困難である。
【０００６】
この発明は、上記従来の課題を解決するためになされたものであって、その目的は、サージを確実に除去しつつ、これがコストアップの一因となるのを回避することが可能なインバータ装置を提供することにある。
【０００７】
【課題を解決するための手段】
そこで請求項１のインバータ装置は、交流を整流する整流回路４と、この整流を平滑して直流とする平滑コンデンサ５と、この直流をスイッチングするスイッチング回路７とを備えたインバータ装置において、上記直流の高電位側８と低電位側９との間にＣＲＤスナバ回路６を設け、このＣＲＤスナバ回路６の抵抗１３を放電抵抗として成り、さらに上記ＣＲＤスナバ回路６は、上記直流の高電位側８と低電位側９との間に、順方向に向けたダイオード１１とコンデンサ１２とを高電位側から順に直列接続するとともに、上記コンデンサ１２と並列に抵抗１３を接続して成ることを特徴としている。
【０００８】
このインバータ装置では、スイッチング回路７で生じるサージをＣＲＤスナバ回路６によって確実に吸収除去できるとともに、このＣＲＤスナバ回路６の抵抗１３が放電抵抗としても機能するので、部品点数が増加するのを抑制することが可能となる。しかも、このインバータ装置では、その構成を簡素なものとすることが可能となる。
【００１１】
【発明の実施の形態】
次に、この発明のインバータ装置の具体的な実施の形態について、図面を参照しつつ詳細に説明する。
【００１２】
図１は、上記インバータ装置を示す回路図である。このインバータ装置１には、交流電源２が接続される入力側に、ダイオードをブリッジ接続して成る整流回路４が設けられている。そしてこの整流回路４の出力端間に平滑コンデンサ５とＣＲＤスナバ回路６とが互いに並列に設けられ、インバータ装置１の出力側にはスイッチングトランジスタを用いて構成されたスイッチング回路７が設けられている。そしてこのスイッチング回路７の出力端に、例えば空気調和機の圧縮機等を駆動するモータ３が接続される。スイッチング回路７の入力側に設けられた上記ＣＲＤスナバ回路６は、直流の高電位側８と低電位側９との間に、高電位側８から順に順方向に向けたダイオード１１とコンデンサ１２とを直列接続し、さらにこのコンデンサ１２と並列に抵抗１３を接続して構成されている。
【００１３】
上記インバータ装置１では、まず整流回路４で交流電源２から付与された交流が整流される。この整流に対しては、ＣＲＤスナバ回路６のダイオード１１が導通状態となる。そのためＣＲＤスナバ回路６の抵抗１３が放電抵抗として機能する。また、上記平滑コンデンサ５で整流からリップルを除去して直流を形成することになる。このようにして形成された直流は上記スイッチング回路７でスイッチングされ、モータ３を回転数可変に駆動するＰＷＭ信号が形成される。このスイッチング動作で発生するサージは、上記ＣＲＤスナバ回路６によって吸収除去される。
【００１４】
上記インバータ装置では、ＣＲＤスナバ回路６を、平滑コンデンサ５よりもスイッチング回路７に近接して、その入力側に設けているので、スイッチング回路７で発生するサージを確実に吸収除去することができる。そしてこのＣＲＤスナバ回路６の抵抗１３を、平滑コンデンサ５及びＣＲＤスナバ回路６のコンデンサ１２の放電抵抗としても機能させているので、放電抵抗を別途に設ける必要がない。そのため部品点数を削減することが可能であり、ＣＲＤスナバ回路６を設けることがコストアップの一因となるのを回避することができる。
【００１５】
以上にこの発明の具体的な実施の形態について説明したが、この発明は上記形態に限定されるものではなく、この発明の範囲内で種々変更して実施することができる。
【００１６】
【発明の効果】
上記請求項１のインバータ装置では、ＣＲＤスナバ回路の抵抗が放電抵抗としても機能する。従ってサージを確実に除去しつつ、これがコストアップの一因となるのを回避することが可能となる。しかも、このインバータ装置では、その構成を簡素なものとして確実なコストダウンを図ることが可能となる。
【図面の簡単な説明】
【図１】この発明の一実施形態のインバータ装置を示す回路図である。
【図２】従来例のインバータ装置を示す回路図である。
【符号の説明】
１  インバータ装置
４  整流回路
６  ＣＲＤスナバ回路
７  スイッチング回路
８  高電位側
９  低電位側
１１  ダイオード
１２  コンデンサ
１３  抵抗
【図１】
0003636017.tif 000002
【図２】
0003636017.tif 000003